(57)【要約】【課題】照明光量バランス調整が必要な場合でも、画像読取装置における画像のムラを軽減する。【解決手段】ＬＥＤ３および光量バランス用ＬＥＤ４ａ、４ｂ、４ｃ、４ｄは、被照射体読取の光電変換素子が配列される、主走査方向の端部の一方に２個以上が配置される。導光体５ａ、５ｂは、複数の光源が発する光を主走査方向に導光する導光路を有する。導光体５ａ、５ｂには、導光路に沿って、導光体５ａ、５ｂに導かれた光源の光を散乱反射させてから被照射体の照射部を照明する、光散乱層が形成される。または、光散乱層は、導光体の外周面に当接させて導光路に沿って設けられる。光量バランス用ＬＥＤ駆動回路２ａ、２ｂ、２ｃ、２ｄは、被照射体読取の光電変換素子の電流による電荷を蓄積する時間において、光量バランス用ＬＥＤ４ａ、４ｂ、４ｃまたは４ｄの発光光量を、他の光源の発光光量から独立して調節する。【選択図】図５
2013021638.tif 000002
【特許請求の範囲】
【請求項１】
被照射体読取の光電変換素子が配列される、主走査方向の端部の一方に２個以上が配置される複数の光源と、
前記複数の光源が発する光を前記主走査方向に導光する導光路を有する導光体と、
前記導光体に導かれた前記光源の光を散乱反射させてから前記被照射体の照射部を照明する、前記導光体の外周面の一部に前記導光体の導光路に沿って形成された光散乱層、または、前記導光体の外周面に当接させて前記導光体の導光路に沿って設けられた光散乱層と、
前記被照射体読取の光電変換素子の電流による電荷を蓄積する時間において、前記主走査方向の端部の一方に配置される前記２個以上の光源の一部の光源の発光光量を、他の光源の発光光量から独立して調節する光源制御回路と、
を備える照明装置。
【請求項２】
前記光源制御回路は、前記主走査方向の端部の一方に配置される前記２個以上の光源の前記一部の光源の発光時間を、前記他の光源の発光時間から独立して調節する、請求項１に記載の照明装置。
【請求項３】
被照射体読取の光電変換素子が配列される、主走査方向の端部の一方に２個以上が配置される複数の光源と、
前記複数の光源が発する光を前記主走査方向に導光する導光路を有する導光体と、
前記導光体に導かれた前記光源の光を散乱反射させてから前記被照射体の照射部を照明する、前記導光体の外周面の一部に前記導光体の導光路に沿って形成された光散乱層、または、前記導光体の外周面に当接させて前記導光体の導光路に沿って設けられた光散乱層と、
前記被照射体から到来する光を収束するレンズ体と、
前記レンズ体で収束される光を受光し、光電変換信号を出力する前記光電変換素子を載置したセンサ基板と、
前記被照射体読取の光電変換素子の電流による電荷を蓄積する時間において、前記主走査方向の端部の一方に配置される前記２個以上の光源の一部の光源の発光光量を、他の光源の発光光量から独立して調節する光源制御回路と、
を備える画像読取装置。
【請求項４】
前記光源制御回路は、前記主走査方向の端部の一方に配置される前記２個以上の光源の前記一部の光源の発光時間を、前記他の光源の発光時間から独立して調節する、請求項３に記載の画像読取装置。
【請求項５】
被照射体読取の光電変換素子が配列される、主走査方向の端部の一方に２個以上が配置される複数の光源から光を発し、前記主走査方向に導光する導光路を有する導光体の端部から入射して、前記導光体の導光路に沿って形成された光散乱層で、前記光を散乱反射させてから前記被照射体の照射部を照明する照明ステップと、
前記被照射体から到来する光をレンズ体で収束し、前記レンズ体で収束される光を受光して、光電変換信号を出力する光電変換ステップと、を備え、
前記照明ステップは、前記被照射体読取の光電変換素子の電流による電荷を蓄積する時間において、前記主走査方向の端部の一方に配置される前記２個以上の光源の一部の光源の発光光量を、他の光源の発光光量から独立して調節する光源制御ステップを含む画像読取方法。
【請求項６】
前記光源制御ステップでは、前記主走査方向の端部の一方に配置される前記２個以上の光源の前記一部の光源の発光時間を、前記他の光源の発光時間から独立して調節する請求項５に記載の画像読取方法。
【発明の詳細な説明】
【技術分野】
【０００１】
本発明は、ファクシミリ、コピー機、スキャナなどの画像読み取りに使用される照明装置、それを用いる画像読取装置および画像読取方法に関する。
【背景技術】
【０００２】
画像読取装置に使用される照明装置は、光源に加え導光体が構成物の一つをなしている。ＬＥＤなどの光源から出射した光は導光体を通して伝播し、読取対象物を照明する。たとえば、特許文献１の図９には、導光体の端部に光源が３個配置された例が開示されている。通常、光源は導光体の両方の端部にそれぞれ配置される。また、特許文献１の図１に示される画像読取装置のように、読取対象部分をはさんで導光体を副走査方向に対称な位置に置き、不要な影が現れないようにするのが一般的な照明配置である。
【０００３】
特許文献１のような照明装置では、光源の配置、導光体の形状または光散乱層を調整して、読取装置の主走査方向の照度分布を均一にすることが行われている。
【先行技術文献】
【特許文献】
【０００４】
【特許文献１】特開２０１０−４５７５５号公報
【発明の概要】
【発明が解決しようとする課題】
【０００５】
照明の光源に用いるＬＥＤ（Light Emitting Diode：発光ダイオード）は、一般に、点灯時間制御（パルス幅制御：ＰＷＭ）により光量を調節する。特許文献１のような照明配置としたとき、ＬＥＤや導光体の組み付け位置誤差等により照明光量のアンバランスが生じる。これを解消するため、２つの導光体の両端に配置される４ヶ所の光源それぞれに点灯時間調整機構を設け、光量バランスを調整することが可能である。
【０００６】
特許文献１のように主走査方向に一列に光電変換素子を並べた画像読取装置では、読取対象物と画像読取装置が相対的に所定の速度で副走査方向に動くことにより、順次線状の画像を取り込み、平面画像を生成する。上述のように光量バランスを調整した結果、４ヶ所のＬＥＤの点灯時間差が大きくなった場合、影や濃淡のような画像のムラが現れるという課題がある。
【０００７】
本発明は上記のような問題点を解決するためになされたものであり、照明光量バランス調整が必要な場合でも、画像読取装置における画像のムラを軽減することを目的とする。
【課題を解決するための手段】
【０００８】
本発明の観点に係る照明装置は、被照射体読取の光電変換素子が配列される、主走査方向の端部の一方に２個以上が配置される複数の光源と、複数の光源が発する光を主走査方向に導光する導光路を有する導光体と、を備える。導光体には、導光体の外周面の一部に導光体の導光路に沿って、導光体に導かれた光源の光を散乱反射させてから被照射体の照射部を照明する、光散乱層が形成される。または、光散乱層は、導光体の外周面に当接させて導光体の導光路に沿って設けられる。そして、被照射体読取の光電変換素子の電流による電荷を蓄積する時間において、主走査方向の端部の一方に配置される２個以上の光源の一部の光源の発光光量を、他の光源の発光光量から独立して調節する光源制御回路を備える。
【発明の効果】
【０００９】
本発明によれば、照明光量バランス調整が必要な場合でも、画像読取装置における画像のムラを軽減することが可能になる。
【図面の簡単な説明】
【００１０】
【図１】本発明の実施の形態に係る画像読取装置の断面構成図である。
【図２】センサＩＣの回路構成の例を示すブロック図である。
【図３】実施の形態に係る照明装置の構造を示す分解斜視図である。
【図４】ＬＥＤ基板に実装されたＬＥＤの接続状態を示す接続図である。
【図５】実施の形態に係る照明装置の構成例を示すブロック図である。
【図６】実施の形態に係るＬＥＤ点灯タイミングの例を示す図である。
【発明を実施するための形態】
【００１１】
図１は、実施の形態に係る画像読取装置の断面構成図である。図１は、画像読取装置の主走査方向に垂直な断面を示す。主走査方向は、図１の紙面に垂直な方向である。図１に示す画像読取装置１０は、内部に照明装置とイメージセンサが組み込まれている。画像読取装置１０に密着された原稿１１に照明装置で光を照射して、原稿面の画像を読み取るので、密着イメージセンサ（ＣＩＳ：Contact Image Sensor）と呼ばれている。
【００１２】
図１において、原稿１１は、例えば、紙幣、有価証券、その他の一般文書のイメージ情報である被読取媒体（被照射体）である。図１では、原稿１１を画像読取装置１０に密着させて主走査方向に垂直な方向に移動させるプラテンを省略している。原稿１１は、原稿送り方向（副走査方向）に送られる。副走査は、原稿１１と画像読取装置１０が相対的に移動すればよいので、原稿１１を固定しておいて、画像読取装置１０を移動させて画像を読み取る構成も可能である。
【００１３】
照射部１１ａは、原稿１１に対して光が照射される領域を示す。導光体５ａ、５ｂは、光透過性のある物質を主走査方向（紙面に垂直方向）に延びる棒状に形成して構成される。図１の例では、２本の導光体５ａ、５ｂを平行に配置している。導光体５ａ、５ｂの長手方向両端（主走査方向両端）にＬＥＤ３および光量バランス用ＬＥＤ４が配置されている。
【００１４】
導光体５ａ、５ｂの表面の一部に、光散乱層５Ｓが形成されている。光散乱層５Ｓは、その形成領域に白色顔料等の光反射性の塗料を塗布したものや、導光体５ａ、５ｂの表面を粗面加工したもの、鋸歯状のプリズム形状加工、または、ピラミッド状のエンボス形状加工したものとして構成することができる。光散乱層５Ｓは、導光体５ａ、５ｂの外周面の一部に導光体５ａ、５ｂの導光路に沿って形成されるか、または、導光体５ａ、５ｂの外周面に当接させて導光路に沿って設けられる。
【００１５】
ＬＥＤ３および光量バランス用ＬＥＤ４から発した光は、導光体５ａ、５ｂの端部から導光体５ａ、５ｂの内部に入射する。導光体５ａ、５ｂに入射した光は、導光体５ａ、５ｂの内部を長手方向に全反射しながら進む。光散乱層５Ｓに当たった光は、光散乱層５Ｓで散乱されて、導光体５ａ、５ｂの光散乱層５Ｓに対向する光出射部５Ｒから出射して、原稿１１の照射部１１ａを照射する。出射した光がちょうど照射部１１ａに照射されるように、光散乱層５Ｓを形成しておくのである。
【００１６】
透過体１３は、原稿１１の搬送経路を形成し、また、画像読取装置１０の内部に異物などが混入するのを防止する。透過体１３は、アクリルやポリカーボネートなどの透明樹脂、または透明ガラス材などにより構成される。透過体１３は、導光体５の光出射部５Ｒから出射した光を原稿１１に透過させるとともに、原稿１１により反射された光を透過してレンズ体１４に入射させるものである。
【００１７】
レンズ体１４は、複数のロッドレンズを互いに光軸を平行にして、主走査方向に配列したロッドレンズアレイとして構成される。レンズ体１４は、原稿１１の照射部１１ａにおいて原稿１１から反射された光がロッドレンズの光軸方向から入射するように構成し、その反射光を収束するものである。レンズ体１４を構成するロッドレンズは、たとえば、照射部１１ａの等倍正立像を、センサＩＣ１５の上に結像する。センサＩＣ１５は、レンズ体１４で収束された光を受光し、光電変換して画像に応じた電気信号を出力するセンサである。センサＩＣ１５は、半導体チップなどで構成された光電変換部、その他の駆動回路等を搭載している。センサＩＣ１５には、光電変換素子である一定の面積のフォトダイオードが主走査方向に一定の密度・間隔で配置されている。
【００１８】
ＬＥＤ３、光量バランス用ＬＥＤ４、導光体５ａ、５ｂ、透過体１３、レンズ体１４、センサＩＣ１５などの画像読取装置１０を構成する各部は、筐体１２に収納されて相対的な位置が保持される。画像読取装置１０のうち、ＬＥＤ３、光量バランス用ＬＥＤ４、導光体５ａ、５ｂは照明装置を構成する。筐体１２は、照明装置以外の周囲の光がセンサＩＣ１５に入射するのを防止する。
【００１９】
図２は、センサＩＣの回路構成の例を示すブロック図である。センサＩＣ１５の回路は、画素回路３４、セレクタ３３、スタート信号制御部３１および増幅回路３２を備える。画素回路３４には、フォトダイオード（以下ＰＤという）３６の後段に、ＰＤ３６からの信号を増幅する複数のトランジスタ３７や保持容量３５が配置される。セレクタ３３は、複数の画素回路３４の信号を順次読み出して、直列の信号に（シリアライズ）する。スタート信号制御部３１は、セレクタ３３の順次読み出しを外部からのスタート信号によって制御するための回路である。シリアライズされた画素回路３４の信号（アナログ信号）は、増幅回路３２で増幅されて外部に出力される。カラーイメージセンサにおいては、図２に示す回路構成が赤、緑、青の３色分それぞれ独立して必要となり、上記構成の回路の３回路分が配置される。
【００２０】
センサＩＣ１５では、保持容量３５をリセットしてから、ＰＤ３６のゲートをオンにして、ＰＤ３６の電流による電荷を保持容量３５に蓄積する。１ラインの感光時間に相当する１回の電荷蓄積時間を経過したら、ゲートをオフにして、保持容量３５に蓄積された電荷を保持する。１画素の画像信号は、保持容量３５に蓄積される電荷で決まる。その後、セレクタで画素を選択して、保持容量３５に蓄積された電荷を読み出す。全ての画素の電荷を読み出したら、次のラインの読み取りのために、保持容量３５をリセットする。１ラインの読み取りごとに以上の動作を繰り返す。１ラインの読み取りは、原稿送りに同期する必要があるので、ラインごとのスタート信号が外部から与えられる。原稿送りに同期して１ラインずつ読み取ることによって、副走査を行い、原稿１１全体の画像を読み取る。
【００２１】
図３は、実施の形態に係る照明装置の構造を示す分解斜視図である。照明装置２０は、画像読取装置１０のＬＥＤ３と導光体５ａ、５ｂを含んで構成される。図３において、ホルダー（ＬＥＤホルダー）１７が、導光体５ａ、５ｂの両端部に配置される。ホルダー１７は、ＬＥＤ３および光量バランス用ＬＥＤ４ａ、４ｃ、もしくは４ｂ、４ｄが実装されたＬＥＤ基板２１とＵＶフィルター１６を収納する。ホルダー１７は、ＬＥＤ３および光量バランス用ＬＥＤ４ａ、４ｂ、４ｃ、４ｄの光を導光体５に入射するものである。照明装置２０は、ホルダー１７が、導光体５ａまたは５ｂの一方の端部にのみ配置される構成でもよい。その場合、ＬＥＤ３および光量バランス用ＬＥＤ４ａ、４ｃ、もしくは４ｂ、４ｄの光は導光体５ａまたは５ｂの片側からのみ入射して、導光体５ａまたは５ｂの内部に伝播する。
【００２２】
図４は、ＬＥＤ基板に実装されたＬＥＤの接続状態を示す接続図である。図４は、図３のＬＥＤ基板２１のうち１枚の回路を示す。図４において、ＬＥＤ基板２１には、４個のＬＥＤ３が直列に接続され、２個の光量バランス用ＬＥＤ４ａ、４ｃがそれぞれ独立に配置されている。直列接続された４個のＬＥＤ３は、１対の駆動回路接続端子２１ｂに接続している。２個の光量バランス用ＬＥＤ４ａ、４ｃはそれぞれ、独立に１対の駆動回路接続端子２１ａに接続する。駆動回路接続端子２１ｂは、主照明用ＬＥＤ駆動回路に接続する。駆動回路接続端子２１ａは、光量バランス用ＬＥＤ駆動回路に接続する。
【００２３】
図４のＬＥＤ基板２１は、導光体５の端部の一方に配置される。図４に示す左半分の２個のＬＥＤ３と光量バランス用ＬＥＤ４ａは、導光体５ａに、右半分のＬＥＤ３と光量バランス用ＬＥＤ４ｃは導光体５ｂに、それぞれ対応する。図１または図３に示すように、導光体５ａ、５ｂの端部の両方にＬＥＤ３を配置する場合は、２枚のＬＥＤ基板２１を導光体５の両側に配置する。以下、本発明の実施の形態の動作について説明する。
【００２４】
図５は、実施の形態に係る照明装置の構成例を示すブロック図である。図５に示すように、照明装置２０において、ＬＥＤ３は光源の一部を成しており、たとえば白色の光を発生する。ＬＥＤ３は、導光体５ａおよび５ｂそれぞれの両端部に、たとえば２素子ずつ配置されている。ＬＥＤ駆動回路１は、ＬＥＤ３の発光に必要なパルス電流を出力する。
【００２５】
光量バランス用ＬＥＤ４ａ、４ｂ、４ｃ、４ｄは、導光体５ａの両端部および導光体５ｂの両端部にそれぞれ配置されている。光量バランス用ＬＥＤ駆動回路２ａ、２ｂ、２ｃ、２ｄは、それぞれ光量バランス用ＬＥＤ４ａ、４ｂ、４ｃ、４ｄの発光に必要なパルス電流を出力する。また、パルス電流出力期間をそれぞれ独立に変化させることができるように構成されている。導光体５ａおよび５ｂは、たとえばアクリル樹脂やガラスのような透明な物質で形成されており、ＬＥＤ３および光量バランス用ＬＥＤ４ａ、４ｂ、４ｃ、４ｄから出射された光を、たとえば書籍や書類の紙面等のような読取対象物へ、導くように配置される。
【００２６】
本実施の形態の照明装置２０では、導光体５ａおよび５ｂそれぞれの端部へ、ＬＥＤ３の各素子からの光が入射する。ＬＥＤ３の各素子は、同じ発光光量が得られるよう、直列に接続され、導光体５ａおよび５ｂを通して、均一な線状分布で読取対象物を照明する。しかし、組立て時の誤差等により、導光体とＬＥＤ３の各素子の位置関係、或いは導光体５ａおよび５ｂと読取対象物の位置関係が、設計中心値からずれる場合、読取対象物に対する照明分布は、均一ではなくなり、主走査方向あるいは副走査方向に、たとえば２０％程度の照射強度の差が発生する。
【００２７】
前述したように、１画素の画像信号は、保持容量３５に蓄積される電荷で決まる。保持容量３５に蓄積される電荷は、電荷蓄積時間にＰＤ３６の受光した光量に比例する。したがって、照度分布の不均一による画像のムラを軽減するためには、電荷蓄積時間に読み取り部に照射される光量が、主走査方向にできるだけ均一であり、副走査方向のアンバランスが小さいことが必要である。本実施の形態の照明装置２０では、ＬＥＤ３の発光光量に対して、光量バランス用ＬＥＤ４ａ、４ｂ、４ｃ、４ｄの発光光量を調節して、電荷蓄積時間に読み取り部に照射される光量が、主走査方向で均一になり、さらに、副走査方向の照度分布にアンバランスがないようにする。
【００２８】
図３または図５に示すように、光量バランス用ＬＥＤ４ａ、４ｂ、４ｃ、４ｄは、導光体５ａおよび５ｂそれぞれの端部へ発光した光が入射するよう配置されている。光量バランス用ＬＥＤ４ａ、４ｂ、４ｃ、４ｄは、ＬＥＤ３と位置が異なるので、ＬＥＤ３の光による照射部１１ａの照度分布とは異なる照度分布を有する。光量バランス用ＬＥＤ４ａ、４ｂ、４ｃ、４ｄそれぞれを駆動する回路２ａ、２ｂ、２ｃ、２ｄは、それぞれ独立して点灯期間を設定できるように構成されている。
【００２９】
図６は、実施の形態に係るＬＥＤ点灯タイミングの例を示す図である。図中、縦軸は各ＬＥＤ素子の発光強度、横軸は時間を表す。発光光量は、発光強度と時間の積（発光強度の時間積分）で表される。各ＬＥＤ素子はライン読取周期ごとに、電荷蓄積時間にそれぞれ所定の時間だけ発光する。たとえば導光体５ａの左側の照明強度が高い場合、ＬＥＤ４ａの点灯時間を、ＬＥＤ３の点灯時間よりも短くするとともに、ＬＥＤ４ｃの点灯時間を、ＬＥＤ３の点灯時間よりも長くなるように、光量バランス用ＬＥＤ駆動回路２ａおよび２ｂでそれぞれ調整する。このように、全体の光量バランスを保ちながら、点灯時間内の光量バランス変化を抑えられるので、読取対象物の相対的な移動に伴う画質の劣化を抑えることができる。
【００３０】
ＬＥＤ３および光量バランス用ＬＥＤ４ａ、４ｂ、４ｃ、４ｄの発光時間は、たとえば、以下のようにして設定することができる。色と明度が一様な均一色の原稿１１、例えば白色の原稿１１を準備する。ＬＥＤ３だけを点灯して、準備した均一色の原稿１１を読み取る。これによって、ＬＥＤ３の照度分布が分かる。次に、光量バランス用ＬＥＤ４ａ、４ｂ、４ｃ、４ｄをそれぞれ単独で発光させて、それぞれの場合で同じ均一色の原稿１１を読み取る。こうして、各ＬＥＤ素子単独の照度分布を得る。
【００３１】
ＬＥＤ３および光量バランス用ＬＥＤ４ａ、４ｂ、４ｃ、４ｄそれぞれの照度分布に係数を乗じて加算したときに、その加算した照度分布が最も均一になる（最大照度と最小照度の差もしくは比が最も小さくなる）ように、係数の比を決定する。電荷蓄積時間が決まっていれば、最大の係数が電荷蓄積時間になるように係数の比で各ＬＥＤの発光時間を設定する。読み取りに必要な光量が決まっている場合には、決定した係数の比で加算した照度分布の光量が、必要な光量になる時間を電荷蓄積時間とすればよい。
【００３２】
本実施の形態の照明装置２０によれば、導光体５ａ、５ｂの端部のいずれかに配置される２個以上の光源の一部の光量を、原稿読取の光電変換素子の電流による電荷を蓄積する時間において、他の光源の発光光量から独立して調節できる。その結果、照明光量バランス調整が必要な場合でも、画像読取装置における画像のムラを軽減することが可能になる。
【００３３】
図６の例では、各ＬＥＤ素子の点灯開始をそろえて（実質的には電荷蓄積時間の開始になる）、消灯時期を変えることによって発光光量を調節する。発光光量の調節は、消灯時期をそろえて（実質的には、電荷蓄積時間の終了になる）、点灯開始を変えることによっても可能である。また、発光光量を調節するには、各ＬＥＤ素子の発光強度を変えることによっても可能である。例えば、ＬＥＤ素子ごとに印加する電圧または流れる電流を変えて、発光強度を変えることができる。また、発光強度と発光時間の両方を変えて、発光光量を調節してもよい。
【００３４】
本実施の形態では、光電変換素子の電流による電荷を蓄積する時間において、各ＬＥＤ素子の発光光量を、その発光時間で調節するので、光量バランス用ＬＥＤ４ａ、４ｂ、４ｃ、４ｄごとに異なる電圧源または電流源を用意する必要がない。そして、各ＬＥＤ素子の点灯開始または消灯時期を変えるだけなので、容易に発光光量を調節することができる。
【００３５】
本実施の形態では、導光体の端部にそれぞれ１つずつ光量バランス用光源を備える場合を例に説明した。導光体から照射される光の照度分布を均一にするための光量バランス用光源は、導光体の端部ごとに１つとは限らない。端部ごとに２つ以上の光量バランス用光源を備えてもよい。また、導光体の端部によっては、光量バランス用光源が配置されない場合があってもよい。導光体の１つの端部に２つ以上の光量バランス用光源を備える場合、２つ以上の光量バランス用光源がそれぞれ発光光量を調節できるようにすれば、さらに、照度分布の均一性を向上できる。
【００３６】
本実施の形態では、光源としてＬＥＤを用いる場合を例に説明した。発光光量を調節できる光源であれば、照明装置２０に用いる光源はＬＥＤに限らない。たとえば、有機ＥＬ（エレクトロルミネセンス）を光源に用いることもできる。前述のとおり、照明装置２０に用いる光源は、発光させる時間を変えて調節できることが望ましい。
【００３７】
なお、本実施の形態では、図２に示すように、画像読取のセンサＩＣ１５がＣＭＯＳセンサの場合について説明した。本実施の形態は、ＣＭＯＳセンサに限らず、ＣＣＤ（電荷結合素子）センサを用いる画像読取装置１０にも適用することができる。また、図１では原稿面で反射した光をセンサＩＣ１５で受光する場合を例に説明した。本実施の形態の照明装置は、光電変換素子の電流による電荷を蓄積する時間に、複数の光源の発光光量を調節できれば、原稿を透過する光を読み取るタイプの画像読取装置にも適用できる。
【符号の説明】
【００３８】
１    ＬＥＤ駆動回路
２ａ、２ｂ、２ｃ、２ｄ  光量バランス用ＬＥＤ駆動回路
３    ＬＥＤ
４、４ａ、４ｂ、４ｃ、４ｄ  光量バランス用ＬＥＤ
５ａ、５ｂ  導光体
５Ｒ  光出射部
５Ｓ  光散乱層
１０    画像読取装置
１１    原稿
１１ａ  照射部
１２    筐体
１３    透過体
１４    レンズ体
１５    センサＩＣ
１６    ＵＶフィルター
１７    ホルダー
２０    照明装置
２１    ＬＥＤ基板
２１ａ、２１ｂ  駆動回路接続端子
３５    保持容量
３６    フォトダイオード（光電変換素子）
【図１】
2013021638.tif 000003
【図２】
2013021638.tif 000004
【図３】
2013021638.tif 000005
【図４】
2013021638.tif 000006
【図５】
2013021638.tif 000007
【図６】
2013021638.tif 000008